(57)【要約】第１記録層と第２記録層を有する記録媒体に再生基本単位でデータを記録する記録方法であって、第１記録層に再生基本単位（Ｃｅｌｌ単位）でデータの記録中において、第１記録層の未記録領域のサイズを検出し、第１記録層の未記録領域のサイズを所定値（再生基本単位の最大許容サイズ、第１記録層に記録しようとするデータのサイズ等）と比較し、未記録領域のサイズが前記所定値より小さくなったときに、データ管理単位の境界で第１記録層への記録を停止し、以降のデータの記録を第２記録層に行なう。
2007504590.tif 000002
【特許請求の範囲】
【請求項１】
第１記録層と第２記録層を有する記録媒体に再生基本単位でデータを記録する記録方法であって、前記再生基本単位は、時間的に連続する、前記記録媒体に対してデータの記録、再生を行う際の最小のデータ単位を複数含み、
前記記録方法は、
前記第１記録層に前記再生基本単位でデータの記録中において、
第１記録層の未記録領域のサイズを検出し、
前記第１記録層の未記録領域のサイズを所定値と比較し、
前記未記録領域のサイズが前記所定値より小さくなったときに、前記再生基本単位の境界で第１記録層への記録を停止し、以降のデータの記録を第２記録層に行なう
ことを特徴とする記録方法。
【請求項２】
前記所定値は、前記再生基本単位の最大許容サイズである、ことを特徴とする請求項１記載の記録方法。
【請求項３】
前記所定値は、第１記録層に記録しようとするデータのサイズである、ことを特徴とする請求項１記載の記録方法。
【請求項４】
前記第１記録層への記録を停止した後でかつ第２記録層への記録を開始する前に、前記第１記録層の未記録領域にダミーデータを記録する、請求項１記載の記録方法。
【請求項５】
前記第１記録層への記録を停止した後、ファイナライズ時に、前記第１記録層の未記録領域にダミーデータを記録する、請求項１記載の記録方法。
【請求項６】
前記第２記録層の記録開始位置の半径位置が、前記第１記録層の記録終了位置の半径位置に対応する、ことを特徴とする請求項１記載の記録方法。
【請求項７】
前記未記録領域のサイズが前記所定値より小さくなったときに、第１記録層に記録しようとするデータを、第１及び第２のデータ単位に分割し、前記分割した第１のデータ単位を前記第１記録層に記録し、前記分割した第２のデータ単位を前記第２記録層に記録する、ことを特徴とする請求項１記載の記録方法。
【請求項８】
第１記録層と第２記録層を有する記録媒体に再生基本単位でデータを記録する情報記録装置であって、
前記再生基本単位は、前記記録媒体に対してデータの記録、再生を行う際の最小のデータ単位であって時間的に連続するものを複数含み、
前記情報記録装置は、
データを符号化するエンコーダと、
前記符号化されたデータを一時的に格納するバッファと、
前記符号化されたデータを前記記録媒体の第１または第２記録層に記録するドライブと、
前記エンコーダ、バッファ及びドライブを制御する記録制御部と、
前記第１記録層に前記再生基本単位でデータの記録中に、第１記録層の記録位置が終端に達したか否かを検出する検出部とを備え、
前記検出部は、第１記録層の未記録領域のサイズを検出し、第１記録層の未記録領域のサイズを所定値と比較し、前記未記録領域のサイズが前記所定値より小さくなったときに、第１記録層の記録位置が終端に達したことを検出し、
前記記録制御部は、第１記録層の記録位置が終端に達したことが検出されたときに、前記再生基本単位の境界で第１記録層への記録を停止し、以降のデータの記録を第２記録層に行なうよう制御する、
ことを特徴とする情報記録装置。
【請求項９】
前記所定値は、前記再生基本単位の最大許容サイズである、ことを特徴とする請求項８記載の情報記録装置。
【請求項１０】
前記所定値は、第１記録層に記録しようとするデータのサイズである、ことを特徴とする請求項８記載の情報記録装置。
【請求項１１】
前記記録制御部は、前記第１記録層への記録を停止した後でかつ第２記録層への記録を開始する前に、前記第１記録層の未記録領域にダミーデータを記録する、請求項８記載の情報記録装置。
【請求項１２】
前記記録制御部は、前記第１記録層への記録を停止した後、ファイナライズ時に、前記第１記録層の未記録領域にダミーデータを記録する、請求項８記載の情報記録装置。
【請求項１３】
前記第２記録層の記録開始位置の半径位置が、前記第１記録層の記録終了位置の半径位置に対応する、ことを特徴とする請求項８記載の情報記録装置。
【請求項１４】
前記記録制御部は、第１記録層の記録位置が終端に達したことが検出されたときに、第１記録層に記録しようとするデータを、第１及び第２のデータ単位に分割し、前記分割した第１のデータ単位を前記第１記録層に記録し、前記分割した第２のデータ単位を前記第２記録層に記録するように制御する、ことを特徴とする請求項８記載の情報記録装置。
【請求項１５】
データを記録するためのハードディスク装置をさらに備えることを特徴とする、請求項８に記載の情報記録装置。
【発明の詳細な説明】
【技術分野】
【０００１】
本発明は２つの記録層を有する記録媒体に対する記録方法及び記録装置に関する。
【背景技術】
【０００２】
従来、映像や音声、コンピュータデータ等の種々のコンテンツを記録する記録媒体としてＤＶＤ（Digital Versatile Disc）がある。ＤＶＤはその用途に応じて種々の規格が定められている。その１つにＤＶＤ−Ｖｉｄｅｏ規格（非特許文献１のＶＩ３−５頁参照。）がある。
【０００３】
ＤＶＤ−Ｖｉｄｅｏ規格では、ＡＶデータの再生基本単位を「Ｃｅｌｌ」として定義し、再生順が管理される。特に、２層の情報記録層を有する記録媒体においては、１つのＣｅｌｌを記録層（ｌａｙｅｒ）を跨いで記録してはならないことが規定されている。
【０００４】
このため、市販のＤＶＤ−Ｖｉｄｅｏソフトでは、２層の記録媒体にＤＶＤ−Ｖｉｄｅｏフォーマット準拠でＡＶデータを記録するために、予め各層に記録するＡＶデータを、Ｃｅｌｌが層を跨がないように編集し、記録するという方法が一般的にとられてきた（例えば、特許文献１、非特許文献１参照。）。
【発明の開示】
【発明が解決しようとする課題】
【０００５】
しかし、ＤＶＤレコーダにより、２層の記録媒体にリアルタイム記録する場合は、予めＣｅｌｌが層を跨がないように事前にＡＶデータをオーサリングして記録することができないため、ＤＶＤ−Ｖｉｄｅｏ規格に適合した記録ができないという問題があった。
【特許文献１】特開２０００−４８５４２号公報
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３；  Ｖｅｒｓｉｏｎ  １．０  Ａｕｇｕｓｔ  １９９６
【０００６】
つまり、ＤＶＤ−Ｖｉｄｅｏ規格で定められる「Ｃｅｌｌが層を跨がないようにＣｅｌｌを記録すること」が、リアルタイム記録ではできないという問題がある。
【０００７】
本発明は、上記課題を解決すべくなされたものであり、その目的とするところは、２層の情報記録層を有する記録媒体に対して、所定の仕様を満たしつつリアルタイムにＡＶデータを記録できる情報記録装置及び記録方法を提供することにある。
【課題を解決するための手段】
【０００８】
本発明の第１の態様において、第１記録層と第２記録層を有する記録媒体に再生基本単位でデータを記録する記録方法が提供される。再生基本単位は、時間的に連続する記録媒体に対してデータの記録、再生を行う際の最小のデータ単位を複数含む。記録方法は、第１記録層に前記再生基本単位でデータの記録中において、第１記録層の未記録領域のサイズを検出し、第１記録層の未記録領域のサイズを所定値と比較し、未記録領域のサイズが前記所定値より小さくなったときに、再生基本単位の境界で第１記録層への記録を停止し、以降のデータの記録を第２記録層に行なう。
【０００９】
本発明の第２の態様において、第１記録層と第２記録層を有する記録媒体に再生基本単位でデータを記録する情報記録装置が提供される。情報記録装置は、データを符号化するエンコーダと、符号化されたデータを一時的に格納するバッファと、符号化されたデータを前記記録媒体の第１または第２記録層に記録するドライブと、エンコーダ、バッファ及びドライブを制御する記録制御部と、第１記録層に再生基本単位でデータの記録中に、第１記録層の記録位置が終端に達したか否かを検出する検出部とを備える。検出部は、第１記録層の未記録領域のサイズを検出し、第１記録層の未記録領域のサイズを所定値と比較し、前記未記録領域のサイズが前記所定値より小さくなったときに、第１記録層の記録位置が終端に達したことを検出する。記録制御部は、第１記録層の記録位置が終端に達したことが検出されたときに、再生基本単位の境界で第１記録層への記録を停止し、以降のデータの記録を第２記録層に行なうよう制御する。
【発明の効果】
【００１０】
本発明によれば、２つの記録層を有する記録媒体に対して、再生基本単位のデータを２つの記録層に跨って記録されることを防止できる。これにより、例えば、ＤＶＤ−Ｖｉｄｅｏ規格に定めされた、規定を満たすことが可能となる。
【発明を実施するための最良の形態】
【００１１】
以下、添付の図面を参照し、本発明の実施形態を説明する。
【００１２】
実施の形態１
（１．情報記録装置の構成）
図１に本発明に係る情報記録装置の構成を示す。情報記録装置１０は、２つの記録層（第１層、第２層）を有する記録媒体２０に対して情報の記録を行う。本実施形態では、記録媒体２０の例としてＤＶＤ規格に準拠した記録媒体を用いる。本実施形態の情報記録装置１０はＤＶＤ−Ｖｉｄｅｏ規格に準拠し、２つの記録層を有する記録媒体２０に対するリアルタイム記録において、１つのＣｅｌｌ（詳細は後述）が２つの層を跨がないようにＣｅｌｌの記録を行うことを可能とする。
【００１３】
図１に示すように、情報記録装置１０は、データ格納手段として、記録媒体（ＤＶＤ）２０に対しデータの記録、再生を行うＤＶＤドライブ１と、ハードディスク装置２とを備える。情報記録装置１０はさらに、記録するＡＶデータを符号化して生成するエンコーダ４と、エンコーダ４を制御するエンコーダ制御部５と、記録するＡＶデータを一時的に蓄積するバッファメモリ６と、記録媒体２０の記録位置が第１層の終端付近に達したか否かを検出して終端通知信号を出力する終端検出部７と、ＤＶＤドライブ１へのデータ記録を制御する記録制御部９とを備える。
【００１４】
エンコーダ４は、記録媒体２０へ記録すべきデータを生成し、バッファメモリ６に書き込む。バッファメモリ６に書き込まれたデータは順次ＤＶＤドライブ１により記録媒体２０へ記録される。データ記録が第１層に対してなされている場合、終端検出部７は記録媒体２０の未記録領域のサイズを検出し、サイズが所定値より小さくなったときに、終端検出信号を出力する。記録制御部９は、終端検出信号を受けると、記録に用いる層を第１層から第２層へ切替る。
【００１５】
なお、情報記録装置１０は、ＤＶＤドライブ１とは異なる記録媒体であるハードディスク装置２を備えている。これによりＤＶＤドライブ１とハードディスク装置２間でデータのダビングが可能となる。
【００１６】
ここで、Ｃｅｌｌとは、ＤＶＤ規格で定められるＡＶデータの再生基本単位であり、論理アドレスが連続に配置された（すなわち、時間的に連続な）複数のＶＯＢＵ（Video Object Unit）からなる。Ｃｅｌｌは、機器の制御ソフトにより再生の基本単位としてナビゲーションデータに定義される。Ｃｅｌｌのサイズは、ＳＣＲ(System Clock Reference)及びＰＴＭ（Presentation Time）が連続であり、画角(4:3または16:9)などの属性が変わらない範囲であれば、所定の上限値（以下「最大Ｃｅｌｌ数」という）の範囲内で任意に設定できる。
【００１７】
本実施形態では、記録媒体２０の中の２つの記録層のうち、最初にデータ記録が行われる方の記録層を「第１層」といい、次に、データ記録が行われる方の記録層を「第２層」という。第１層は光ビームが照射される媒体表面から遠い側の層であるのが好ましい。第１層から記録が開始され、第１層の空き容量が所定値以下になった時点で、記録すべき層が第１層から第２層に切り替えられる。また、第１層では記録媒体２０の内周から外周へ向かう方向に、第２層では記録媒体２０の外周から内周へ向かう方向にデータが記録される。この記録方向は逆でもよい。
【００１８】
（２．ＡＶデータの構成）
図２を参照し、ＤＶＤ＿Ｖｉｄｅｏ規格に準拠したＡＶデータの構成を説明する。ＤＶＤ＿Ｖｉｄｅｏ規格では、番組ごとにＶＴＳ（Video Title Set）４０と呼ばれるデータ構造をもっている。ＶＴＳ４０は、ＡＶデータの制御情報及びメニューの制御情報であるＶＴＳＩ４１と、メニュー用のＭＰＥＧ２データであるＶＴＳＭ＿ＶＯＢＳ（４３）と、ＡＶデータのＭＰＥＧ２データであるＶＴＳＴＴ＿ＶＯＢＳ（４５）と、ＶＴＳＩのバックアップデータであるＶＴＳＩ＿ＢＵＰ（４７）から構成される。ＶＴＳＴＴ＿ＶＯＢＳは、ＩＳＯ／ＩＥＣ１３８１８−１で定められたＶＯＢ（Video Object）６０と呼ばれる単位が複数個集まって構成される。さらにＶＯＢ（６０）は、再生の開始や終了をするための単位であるＣＥＬＬ（６１）が複数個集まって構成される。ＣＥＬＬ（６１）は、さらに記録媒体への記録／再生時の最小の単位であるＶＯＢＵ（Video Object Unit）（６５）と呼ばれる０．４〜１．２秒程度のＭＰＥＧ２データが複数集まって構成される。「非特許文献１」のＶＩ３−５頁  ３．１．５の記載によると、１つのＣＥＬＬは同一の記録層に存在することが要求されている。
【００１９】
（３．記録動作）
図３は、本実施形態における２つの記録層へのデータ記録方法を説明した図である。本実施形態では、最大Ｃｅｌｌサイズを第１層の未記録領域サイズと比較し、未記録領域サイズが最大Ｃｅｌｌサイズより小さくなったときに、使用する記録層を第２層へ切替る。
【００２０】
最大ＣｅｌｌサイズはＣｅｌｌサイズの上限値であり、情報記録装置１０の仕様すなわちＡＶデータを生成するエンコーダ４の制御に依存して定まる。ＤＶＤ−Ｖｉｄｅｏ規格では１タイトルあたりのセル数が最大２５５という制限があるため、第１層及び第２層を使用して１タイトルを記録する場合、最大セルサイズは３４ＭＢ以上が望ましい。また、複数タイトルを記録する場合は、最大Ｃｅｌｌサイズが第１層及び第２層の合計残容量を２５５で割った値より大きくなるように、エンコーダ４を制御し、最大セルサイズの値を適宜変更しても良い。
【００２１】
図４は本実施形態の記録層の切替処理を示すフローチャートである。第１層の未記録領域のサイズは図３（ａ）に示すように未記録状態であれば第１層全体の容量と等しい。記録が始まると、図３（ｂ）に示すように記録したサイズ分だけ減少する。記録制御部９は、第１層から記録を開始する（Ｓ１１）。終端検出部７は、最大Ｃｅｌｌサイズと第１層の未記録領域サイズと比較し（Ｓ１２）、最大Ｃｅｌｌサイズが第１層の未記録領域サイズ以下のときは（Ｓ１３でＮＯ）、「未検出」を示す終端検出信号を出力する。このとき、記録制御部９は第１層への記録を継続する（Ｓ１４）。一方、最大Ｃｅｌｌサイズの方が大きい場合（Ｓ１３でＹＥＳ）、終端検出部７は「検出」を示す終端検出信号を出力する。このとき、記録制御部９は第１層の記録をＣｅｌｌ境界で停止し、使用する記録層を第２層へ切替え（Ｓ１５）（図３（ｃ）参照）、以降のＡＶデータの記録は第２層に対して行なう（Ｓ１６）（図３（ｄ）参照）。
【００２２】
以上のように本実施形態の記録方法によりＣｅｌｌを２つの層に亘ることなく、記録することが可能となる。
【００２３】
実施の形態２
本実施形態では、第１層から第２層への切替え方法の別の例を説明する。情報記録装置の構成は実施の形態１のものと同様である。
【００２４】
ＤＶＤ−Ｖｉｄｅｏ規格である非特許文献１では、Ｃｅｌｌ内のＡＶデータ（ＭＰＥＧデータ）５１を元に作成するＡＶデータの再生制御情報とサーチ情報を含むナビゲーションパック（Ｎａｖｉパック）という情報を、Ｃｅｌｌデータの先頭に添付しなければならない。
【００２５】
従って、一般的に、記録媒体２０に対してリアルタイム記録する場合、図５（ｂ）に示すように、バッファメモリ６上で一旦ナビゲーションパック５３を含むＣｅｌｌデータ６１を作成してから記録媒体２０に記録する。このときバッファメモリ６上で生成されたＣｅｌｌデータ６１の実際のデータサイズＤが確定する。データサイズＤは実際に再生される際の基本のデータ単位となる。本実施形態では、第１層に記録時に、バッファメモリ６上で生成された実際のＣｅｌｌデータサイズＤを、第１層の未記録領域サイズと比較し、未記録領域サイズがＣｅｌｌデータサイズＤより小さくなったときに、第１層の記録位置が終端に達したと判断し、使用する記録層を第１層から第２層へ切替る。
【００２６】
すなわち、図６（ａ）に示すように第１層から記録を開始する。第１層に記録中、バッファメモリ６上で生成されたＣｅｌｌデータの実際のデータ長を、第１の未記録領域サイズと比較する。図６（ｂ）に示すように、Ｃｅｌｌデータ６１の実際のデータ長の方が大きい場合、第１層の記録をＣｅｌｌ境界で停止し、記録に使用する層を第２層へ切替え、バッファメモリ６上で生成したＣｅｌｌデータ以降のＡＶデータの記録を第２層に対して行なう（図６（ｃ）参照）。
【００２７】
実施の形態３
実施の形態１や実施の形態２では、必ず第１層に未記録領域が残ったまま第２層の記録が始まる（図３（ｄ）参照）。一般的なＤＶＤプレーヤでは、２つの記録層における一層のみ記録した場合、ドライブの特性上、データを読み出すことができないことがある。このため、第１層において未記録領域を放置したのであれば、記録媒体の互換性に問題が生じる。またＤＶＤ−Ｖｉｄｅｏ規格では、同一タイトル中のストリームデータで論理アドレスが不連続なものが存在することが許されていない。
【００２８】
これらの問題点を解決するため、本実施形態では、図７（ａ）に示すように、第２層への記録に遷移後、以下のいずれかのタイミングで第１の未記録領域全域にダミーデータを記録し未記録状態を解消する。
（１）第１層の記録の終了後、第２層の記録開始前。
（２）記録媒体のファイナライズ時。
【００２９】
この場合、ダミーデータは、第１層の未記録領域サイズをＣｅｌｌサイズとする１Ｃｅｌｌで構成するストリームデータである。なお、タイミングが確定していることから（１）の方が（２）よりも好ましい。
【００３０】
ダミーデータは次のように構成される。すなわち、少なくともＣｅｌｌの先頭のＶＯＢＵはビデオデータを含み、残りのＶＯＢＵはパディングパケットで構成するよう、ダミーデータが構成される。パディングパケットは、ＭＰＥＧ２の規格であるＩＳＯ／ＴＥＣ１３８１８−１  Ｔａｂｌｅ２−１７で規定するデータ構造をとり、パケットスタートコードを０ｘ０００００１ＢＥとし、データ領域を全て０ｘＦＦとしたデータが記録される。
【００３１】
図７（ｂ）に、ダミーＣｅｌｌの書込みが可能な本実施形態の情報記録装置の構成を示す。本実施形態の情報記録装置１０ｂは、実施の形態１で示した構成に加えてさらに、終端通知信号を受けてダミーＣｅｌｌデータを作成するダミーＣｅｌｌ作成部８をさらに備える。ダミーＣｅｌｌ作成部８は、終端検出部７から終端検出通知を受信可能であり、終端検出通知を受信すると、ダミーＣｅｌｌデータを生成しバッファメモリ６へ書き込むとともに、記録制御部９にダミーデータの作成を通知する。記録制御部９はダミーデータ作成の通知を受けると、ＡＶデータの記録を停止し、ダミーＣｅｌｌデータの記録を開始する。ダミーＣｅｌｌデータの記録が終了すると、ＡＶデータの記録を再開する。なお、層の切替え処理はダミーＣｅｌｌデータの記録中または記録終了後に行う。その他の処理は実施の形態１、２と同様である。
【００３２】
実施の形態４
本実施形態では、第２層の記録を、第１層の記録終端の半径位置に対応する第２層の半径位置から開始する場合の記録方法を説明する。
【００３３】
図８に、本実施形態における第１層から第２層への記録方法を示す。前述の実施の形態に示した例では、第２層の外側終端位置から第２層の記録を開始していた（図３（ｄ）、図６（ｃ）参照）。これに対し、本実施形態では、図８（ｄ）に示すように、第２層の記録領域の先頭からではなく、第１層の記録終了位置の半径位置に対応する、第２層における半径位置から記録を開始する。この記録方法の優位点は、第１層のストリームデータの終端と、第２層のストリームデータ先頭が物理的に同じ位置の上下層関係になるため、第１層から第２層へのシーク時間を短くできることにある。このとき、第２層の先頭から第２層の記録開始点までの領域Ｒ2は未記録領域（第２の未記録領域）となるが以下のダミーデータによる処理を行なう。
【００３４】
非特許文献１のＶＩ３−５頁、３．１．５の規定により、１つのＣＥＬＬは同一の記録層にしか存在してはならない。このため、第１層の未記録領域Ｒ１のサイズをＣｅｌｌサイズとする１つのＣｅｌｌで構成する第１のダミーデータと、第２層の未記録領域Ｒ２のサイズをＣｅｌｌサイズとする１つのＣｅｌｌで構成する第２のダミーデータとを作成する。第１及び第２のダミーデータを、第１層の記録の終了後で第２層の記録開始前に、または、ファイナライズ時に、未記録領域Ｒ１、Ｒ２に記録する。
【００３５】
なお、第１のダミーデータ及び第２のダミーデータはそれぞれＣｅｌｌを構成するため、非特許文献１のＶＩ４−７７頁で規定するＶＴＳ  ＩＦＯ内のビデオタイトルセットセルアドレステーブル情報（ＶＴＳ＿Ｃ＿ＡＤＴＩ）に、Ｃｅｌｌの先頭アドレス及び終了アドレス等の情報を反映しておく。
【００３６】
実施の形態５
本実施形態では、第１層から第２層へ記録層を切り替える際に、書き込みＣｅｌｌを分割してそれぞれの記録層に記録する方法を説明する。情報記録装置は図７（ｂ）に示す構成を有する。
【００３７】
ハードディスク装置２のような異なるデバイスにあるＡＶデータを記録媒体２０へダビングするという使用形態が考えられる。この場合は、ＡＶデータは既にハードディスク装置２に存在しており、リアルタイム記録のような時間的な制約がさほど厳しくないため、ＤＶＤ−Ｖｉｄｅｏ規格で定めるＣｅｌｌが層を跨がないという規定を満たすために、第１層の終端付近で次のような制御が可能となる。
【００３８】
図９（ａ）に示すように第１層から記録を開始し、図９（ｂ）に示すように第１層の終端付近で第１層の未記録領域のサイズがＣｅｌｌデータ６１のサイズより小さくなった場合、ＤＶＤ−Ｖｉｄｅｏ規格で定めるＣｅｌｌが層を跨がないという規定を満たすために、図９（ｃ）に示すように、元のＣｅｌｌ（６１）を分割し、第１の分割Ｃｅｌｌ（６１ａ）及び第２の分割Ｃｅｌｌ（６１ｂ）を作成する。それぞれの分割Ｃｅｌｌ（６１ａ、６１ｂ）を第１層、第２層それぞれに記録する。なお、本実施形態においても、領域Ｒ１、Ｒ２においてダミーデータが記録されている。
【００３９】
図１０は本実施形態の情報記録装置による記録方法のフローチャートである。
記録制御部９は、第１層に記録中に（Ｓ２１）、前述の実施形態の方法で第１層の記録位置が終端に達したか否かを判断し、終端に達したと判断した場合（Ｓ２２）、元のＣｅｌｌ（６１）を第１の分割Ｃｅｌｌ（６１ａ）と第２の分割Ｃｅｌｌ（６１ｂ）に分割する（Ｓ２３）。第１の分割Ｃｅｌｌ（６１ａ）を第１層に記録し（Ｓ２４）、使用する記録層を第２層に切替え（Ｓ２５）、その後、第２の分割Ｃｅｌｌ（６１ｂ）を第２層に記録し、以降、第２層への記録を行う（Ｓ２６）。
【００４０】
図１１を参照して、分割Ｃｅｌｌの生成方法について具体的に説明する。複数のＶＯＢＵからなる元のＶＯＢＵ群５１をＶＯＢＵ単位で分割する。分割により作成された第１のＶＯＢＵ群５１ａまたは第２のＶＯＢＵ群５１ｂのそれぞれの先頭にナビゲーションパック５３ａ、５３ｂを付ける。ナビゲーションパック５３ａ、５３ｂの情報には、非特許文献１によると、再生制御情報とサーチ情報からなる。再生制御情報には、ＶＯＢＵ群の再生開始時刻及び再生終了時刻などを記述する。サーチ情報にＶＯＢＵ群内の各ＶＯＢＵのアドレスなどを記載する。
【００４１】
従ってＣｅｌｌ６１を分割して得られる第２のＶＯＢＵ群５１ｂの先頭にナビゲーションパック５３ｂを新規に付加し、第２の分割Ｃｅｌｌ（６１ｂ）を作成する。既に先頭にナビゲーションパック５３が付加されている第１のＶＯＢＵ群５１ａについては、ナビゲーションパック５３を第１のＶＯＢＵ群５１ａに従ってナビゲーションパック５３ａに修正して、第１の分割Ｃｅｌｌ（６１ａ）を作成する。このようにして作成された第１の分割Ｃｅｌｌ（６１ａ）を第１層に記録し、その後、使用する層を第２層へ切替え、第２の分割Ｃｅｌｌ（６１ｂ）を第２層に記録する。
【００４２】
以上のように、上記の各実施形態によれば、第１層記録時において、第１層の未記録領域サイズを所定のＣｅｌｌ単位のサイズと比較して、空き領域が十分にあるか否かを判断する。空き領域が不十分である場合は、第１層に記録を停止し、第２層への記録を開始する。これにより、１つのＣｅｌｌが２つの記録層に跨って記録されることがなくなり、ＤＶＤ−Ｖｉｄｅｏ規格で定められる規定を満足した記録が可能となる。特に、本実施形態によれば、実施の形態１、２に比して、記録領域の使用効率を向上できる。
【００４３】
なお、上記実施形態では、ＤＶＤ規格を満たす記録方法に関して説明した。しかし、本発明の思想は、ＤＶＤ規格を満たす場合にのみ適用されるものではなく、所定のデータ単位のデータが２つの層に跨って記録されることが禁止され又は好ましくない状況下での用途に対しても適用できることは言うまでもない。
【００４４】
また、上記の各実施形態に記載の思想は、その構成、作用が互いに反するものでなければ、適宜組み合わせて用いてもよい。
【００４５】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００４−２１４０３７号（２００４年７月２２日提出）に関連し、それらの内容は参照することにより本文中に組み入れられる。
【産業上の利用可能性】
【００４６】
本発明は、２層の情報記録層を有する記録媒体（例えばＤＶＤ−Ｒ）へ所定のデータ管理単位のデータを層を跨がずに記録することが要求されている場合の記録媒体への記録技術に適用できる。本発明は例えばＤＶＤ−Ｖｉｄｅｏ規格に準拠した情報記録装置に有用である。
【図面の簡単な説明】
【００４７】
【図１】本発明の実施の形態１に於ける情報記録装置の構成図である。
【図２】ＤＶＤ−Ｖｉｄｅｏ規格に準拠したＡＶデータの構成を示した図である。
【図３】本発明の実施の形態１に於ける第１層から第２層への記録層の切替方法を説明するための図である。
【図４】本発明の実施の形態１に於ける第１層から第２層への記録層の切替えを伴う記録処理を示すフローチャートである。
【図５】本発明の実施の形態２に於ける第１層から第２層への記録層の切替方法を説明するための図である。
【図６】本発明の実施の形態２に於ける第１層から第２層への記録層の切替方法を説明するための図である。
【図７】（ａ）本発明の実施の形態３に於けるダミーデータの記録を説明するための図である。（ｂ）本発明の実施の形態３に於ける情報記録装置の構成図である。
【図８】本発明の実施の形態４における第１層から第２層への記録層の切替方法を説明するための図である。
【図９】本発明の実施の形態５における第１層から第２層への記録層の切替方法を説明するための図である。
【図１０】本発明の実施の形態５に於ける第１層から第２層への記録層の切替えを伴う記録処理を示すフローチャートである。
【図１１】本発明の実施の形態５に於けるＣｅｌｌデータの分割を説明するための図である。
【図１】
2007504590.tif 000003
【図２】
2007504590.tif 000004
【図３】
2007504590.tif 000005
【図４】
2007504590.tif 000006
【図５】
2007504590.tif 000007
【図６】
2007504590.tif 000008
【図７】
2007504590.tif 000009
【図８】
2007504590.tif 000010
【図９】
2007504590.tif 000011
【図１０】
2007504590.tif 000012
【図１１】
2007504590.tif 000013
【国際調査報告】
2007504590.tif 000014
2007504590.tif 000015
2007504590.tif 000016
2007504590.tif 000017